(57)【要約】【課題】本発明は、ベランダ床面から防水立ち上がりまでの高さが低い場合でもオーバーフロー管を設置することが出来、ドレーン１箇所で充分な狭いベランダに適用してドレーン詰まりを回避することが出来、ドレーンに繋がる樋が１本で済み、コストダウンを図ると共に美観を維持することが出来るベランダ腰壁下部の防水構造を提供することを可能にすることを目的としている。【解決手段】ベランダ腰壁２の下部で防水立ち上がり上部に設けられる上部鋼板３にベランダ腰壁２を貫通するオーバーフロー管９を一体的に設け、オーバーフロー管９と上部鋼板３との接合部をシールすると共に防水シート６にオーバーラップする防水部材10を設けて構成したことを特徴とする。【選択図】      図１
2004190378.tif 000002
【特許請求の範囲】
【請求項１】
ベランダ腰壁下部に設けた上部鋼板と、ベランダ床面から該ベランダ腰壁下部に延長された下部鋼板とを有し、該上部鋼板と下部鋼板とに防水シートを溶着または接着したベランダ腰壁下部の防水構造であって、
前記上部鋼板または下部鋼板にベランダ腰壁を貫通するオーバーフロー管を設けたことを特徴とするベランダ腰壁下部の防水構造。
【請求項２】
前記オーバーフロー管と、前記上部鋼板または下部鋼板との接合部を溶着または接着すると共に前記防水シートにオーバーラップする防水部材を有することを特徴とするベランダ腰壁下部の防水構造。
【発明の詳細な説明】
【０００１】
【発明の属する技術分野】
本発明は、ベランダ腰壁下部の排水部分の防水構造に関するものである。
【０００２】
【従来の技術】
通常、ベランダの雨水排水はドレーンにて行うのが一般である。ドレーンはベランダの面積に比例して設置箇所を増やすが、ドレーン１箇所で充分排水能力がある場合でもドレーン詰まりを回避するために２箇所以上のドレーンを設置するのが一般である。
【０００３】
また、下地材の表面に防水シートが貼設されたバルコニーの防水立ち上り壁の部分にオーバーフロー管を設けたものもある（例えば、特許文献１参照。）。
【０００４】
【特許文献１】
特開２０００−６４４１５号公報（図２）
【０００５】
【発明が解決しようとする課題】
しかしながら、前述の従来例では、狭いベランダにも関わらず、ドレーンに繋がる樋が外部に２本以上必要となりコストアップになる上に美観を損ねるという問題があった。
【０００６】
また、特許文献１のように、ベランダ腰壁下部に、上部鋼板と下部鋼板に防水シートを溶着した構造において、ベランダ腰壁の防水立ち上り部を貫通するオーバーフロー管を設置してオーバーフローした雨水をベランダ腰壁の表面側に排水することも考えられるが、ベランダ床面から防水立ち上がりまでの高さが少ないと上部鋼板若しくは下部鋼板と干渉し、オーバーフロー管を設置することが出来ないという問題があった。
【０００７】
本発明は前記課題を解決するものであり、その目的とするところは、ベランダ床面から防水立ち上がりまでの高さが低い場合でもオーバーフロー管を設置することが出来、ドレーン１箇所で充分な狭いベランダに適用してドレーン詰まりを回避することが出来、ドレーンに繋がる樋が１本で済み、コストダウンを図ると共に美観を維持することが出来るベランダ腰壁下部の防水構造を提供せんとするものである。
【０００８】
【課題を解決するための手段】
前記目的を達成するための本発明に係るベランダ腰壁下部の防水構造は、ベランダ腰壁下部に設けた上部鋼板と、ベランダ床面から該ベランダ腰壁下部に延長された下部鋼板とを有し、該上部鋼板と下部鋼板とに防水シートを溶着または接着したベランダ腰壁下部の防水構造であって、前記上部鋼板または下部鋼板の立ち上り部にベランダ腰壁を貫通するオーバーフロー管を設けたことを特徴とする。
【０００９】
本発明は、上述の如く構成したので、上部鋼板にベランダ腰壁を貫通するオーバーフロー管を設けたことで、ベランダ床面から防水立ち上がりまでの高さが低い場合でもオーバーフロー管を設置することが出来る。
【００１０】
また、前記オーバーフロー管と、前記上部鋼板との接合部を溶着または接着すると共に前記防水シートにオーバーラップする防水部材を有する場合には、該防水部材によりオーバーフロー管と上部鋼板との接合部の防水性能及び下部鋼板との間の防水性能を確保することが出来る。
【００１１】
【発明の実施の形態】
図により本発明に係るベランダ腰壁下部の防水構造の一実施形態を具体的に説明する。図１及び図２は本発明に係るベランダ腰壁下部の防水構造の第１実施形態の構成を示す断面説明図及び正面説明図、図３は第１実施形態の防水構造の要部を示す分解斜視図、図４は第１実施形態において一体化されるオーバーフロー管と上部鋼板と防水部材の分解斜視図である。
【００１２】
先ず、図１〜図４を用いて本発明に係るベランダ腰壁下部の防水構造の第１実施形態の構成について説明する。図１及び図２において、１はベランダ床であり、２はベランダ腰壁である。ベランダ床１上には該ベランダ床面からベランダ腰壁２の下部に延長された塩化ビニル鋼板からなる断面Ｌ字形状の下部鋼板４が敷設されている。
【００１３】
一方、ベランダ腰壁２の下部には、図３に示すように、下部鋼板４の上部に塩化ビニル鋼板からなる断面Ｚ字形状の上部鋼板３が設けられている。上部鋼板３が取り付けられるベランダ腰壁２の下部所定位置には、該上部鋼板３の断面Ｌ字形状の上片３ａが収容される溝部２ａが形成されており、図１に示すように、ベランダ腰壁２の溝部２ａに上部鋼板３の上片３ａが収容され、図２及び図３に示すように、ビス７によりベランダ腰壁２に固定されている。
【００１４】
上部鋼板３と下部鋼板４は鋼板の表面に塩化ビニルをコーティングした塩化ビニル鋼板からなり、該上部鋼板３から下部鋼板４に亘って樹脂製の防水シート６が溶着されている。防水シート６の上端部はベランダ腰壁２の溝部２ａ内で上部鋼板３の上片３ａの上面に敷設して溶着され、コーキング材８が溝部２ａに充填される。
【００１５】
ベランダ腰壁２の下部で防水立ち上がり上部の所定位置には貫通孔２ｂが形成されており、この貫通孔２ｂに対応する上部鋼板３の一部が図３に示すように、所定長さに分割されている。
【００１６】
そして、その分割された上部鋼板３の防水立ち上がり片３ｂには、図４に示す防水部材10を介して塩化ビニル鋼管または塩化ビニル管からなるオーバーフロー管９が一体的に設けられており、該オーバーフロー管９がベランダ腰壁２の貫通孔２ｂに挿通されて該ベランダ腰壁２を貫通する。
【００１７】
本実施形態の上部鋼板３とオーバーフロー管９との一体構造は、図３及び図４に示すように、塩化ビニル管からなる円筒部10ａと、樹脂製で略半円形状の防水シート10ｂとが溶着されたハット型の防水部材10を介してオーバーフロー管９と上部鋼板３との接合部を溶着して一体化され、更に防水部材10の防水シート10ｂの鍔部分が防水シート６にオーバーラップして防水性能を確保するように構成されている。
【００１８】
即ち、図３及び図４に示すように、予め工場等で防水部材10の円筒部10ａを上部鋼板３の防水立ち上がり片３ｂに形成された貫通孔３ｃに挿入すると共にオーバーフロー管９の外周部に嵌装し、オーバーフロー管９と円筒部10ａとを水密的に溶着し、防水シート10ｂの中央部を上部鋼板３の防水立ち上がり片３ｂに水密的に溶着して一体化して製造しておくことが出来る。
【００１９】
そして、現場において、オーバーフロー管９の外周にリング状のバックアップ材11を取り付けて該オーバーフロー管９をベランダ腰壁２の貫通孔２ｂ内に挿通し、上部鋼板３をベランダ腰壁２にビス７により固定した後、防水シート10ｂの両側部を上部鋼板３の防水立ち上がり片３ｂに水密的に溶着する。
【００２０】
尚、上部鋼板３とオーバーフロー管９と防水部材10との溶着は、予め工場等で製作して現場に持ち込んでも良いし、現場において、上部鋼板３とオーバーフロー管９と防水部材10の各接合部を溶着しても良い。
【００２１】
更に、図１に示すように、ハット型の防水シート10ｂの下側部を下部鋼板４上に敷設して水密的に溶着し、更に防水シート10ｂの上面に防水シート６をオーバーラップさせて敷設し、防水シート10ｂと防水シート６とを水密的に溶着する。防水シート６上にはベランダ床１の上面に敷設された樹脂製の防水シート12がオーバーラップして敷設され、水密的に溶着される。
【００２２】
また、ベランダ腰壁２の溝部２ａには上部鋼板３の上片３ａが挿入され、該上片３ａの上部に防水シート６が敷設された状態でコーキング材８が充填される。また、ベランダ腰壁２の貫通孔２ｂに挿通されたオーバーフロー管９の外周面とバックアップ材11と貫通孔２ｂの内壁面との間にベランダ腰壁２の外側からシーリング材13が充填される。
【００２３】
ベランダ腰壁２のシート防水工法においては、ベランダ腰壁２の防水立ち上がり上部に防水シート６を固定するための上部鋼板３を設置する。通常、防水シート６と上部鋼板３との溶着のために４０mm〜５０mm程度の溶着代が必要となるが、上部鋼板３の防水立ち上がり片３ｂに外径直径３０mm〜５０mm程度のオーバーフロー管９を一体的に設けることで、ベランダ床面から防水立ち上がりまでの高さが低い場合でもオーバーフロー管９を設置することが出来る。
【００２４】
オーバーフロー管９を取り付けた上部鋼板３の両端部は、これに連続される他の上部鋼板３と同一断面とすることで連続して接続することが出来る。尚、オーバーフロー管９、上部鋼板３、防水部材10、防水シート６等の各接合部は溶着の代わりに接着剤を用いて水密的に接着することでも良い。
【００２５】
上記構成により、ベランダ床面から防水立ち上がりまでの高さが低い場合でもオーバーフロー管９を容易に設置することが出来、ドレーン１箇所で充分な狭いベランダに適用してドレーン詰まりを回避することが出来、ドレーンに繋がる樋が１本で済み、コストダウンを図ると共に美観を維持することが出来る。
【００２６】
次に図５及び図６を用いて、本発明に係るベランダ腰壁下部の防水構造の第２実施形態の構成について説明する。図５は本発明に係るベランダ腰壁下部の防水構造の第２実施形態の構成を示す断面説明図、図６は第２実施形態の防水構造の要部を示す分解斜視図である。尚、前記第１実施形態と同様に構成したものは同一の符号を付して説明を省略する。
【００２７】
前記第１実施形態では、オーバーフロー管９の外周面に防水部材10の円筒部10ａを嵌装して溶着または接着する構成としたが、本実施形態では、オーバーフロー管９の内周面に防水部材10の円筒部10ａを嵌入して溶着または接着したものである。
【００２８】
本実施形態では、上部鋼板３とオーバーフロー管９とが水密的に溶着され、円筒部10ａと防水シート10ｂとが水密的に溶着された防水部材10の円筒部10ａがオーバーフロー管９の内部に挿通されて該円筒部10ａとオーバーフロー管９とが水密的に溶着される。他の構成は前記第１実施形態と同様に構成され、同様の効果を得ることが出来る。
【００２９】
また、前記各実施形態では、上部鋼板３の防水立ち上がり片３ｂの面領域内にオーバーフロー管９が収容される大きさとしたが、オーバーフロー管９の外径直径が大きい場合には上部鋼板３に円弧状の切り欠きを設け、その切り欠きと下部鋼板４の円弧状の切り欠き４ａとの間にオーバーフロー管９を収容する構成としても良い、その際、オーバーフロー管９は上部鋼板３の円弧状の切り欠き部に防水部材10を介在させて溶着または接着して一体的に構成される。
【００３０】
また、他の例として、オーバーフロー管９を省略して、防水部材10の塩化ビニル管からなる円筒部10ａがオーバーフロー管を兼ねるようにし、該円筒部10ａの外周にバックアップ材11を取り付けて前述と同様に構成することも出来る。
【００３１】
図７は本発明に係るベランダ腰壁下部の防水構造の第３実施形態の要部を示す分解斜視図である。尚、前記各実施形態と同様に構成したものは同一の符号を付して説明を省略する。
【００３２】
前記各実施形態では、オーバーフロー管９を上部鋼板３に設けた場合の構成について説明したが、本実施形態では、図７に示すように、オーバーフロー管９を下部鋼板４の立ち上り部に設けたものである。
【００３３】
本実施形態の下部鋼板４は貫通孔２ｂに対応する一部が図７に示すように、所定長さに分割されており、その分割された下部鋼板４の防水立ち上がり片４ａには防水部材10を介して塩化ビニル鋼管または塩化ビニル管からなるオーバーフロー管９が一体的に設けられている。オーバーフロー管９はベランダ腰壁２の貫通孔２ｂに挿通されて該ベランダ腰壁２を貫通する。
【００３４】
本実施形態の下部鋼板４とオーバーフロー管９との一体構造は、塩化ビニル管からなる円筒部10ａと、樹脂製で略半円形状の防水シート10ｂとが溶着されたハット型の防水部材10を介してオーバーフロー管９と下部鋼板４との接合部を溶着して一体化され、更に防水部材10の防水シート10ｂの鍔部分が防水シート６にオーバーラップして防水性能を確保するように構成されている。
【００３５】
尚、本実施形態では、オーバーフロー管９の外周面に防水部材10の円筒部10ａを嵌装して溶着または接着する構成としたが、前記第２実施形態と同様にオーバーフロー管９の内周面に防水部材10の円筒部10ａを嵌入して溶着または接着した構成であっても良い。
【００３６】
また、下部鋼板４の領域からオーバーフロー管９の一部が突出するように構成し、その突出部に対応する上部鋼板３の部位に円弧状の切り欠きを形成しても良い。
【００３７】
【発明の効果】
本発明は、上述の如き構成と作用とを有するので、ベランダ床面から防水立ち上がりまでの高さが低い場合でもオーバーフロー管を設置することが出来、ドレーン１箇所で充分な狭いベランダに適用してドレーン詰まりを回避することが出来、ドレーンに繋がる樋が１本で済み、コストダウンを図ると共に美観を維持することが出来るベランダ腰壁下部の防水構造を提供することが出来る。
【００３８】
即ち、上部鋼板または下部鋼板にベランダ腰壁を貫通するオーバーフロー管を設けたことで、ベランダ床面から防水立ち上がりまでの高さが低い場合でもオーバーフロー管を設置することが出来る。
【００３９】
また、オーバーフロー管と上部鋼板または下部鋼板との接合部を溶着または接着すると共に防水シートにオーバーラップする防水部材を有する場合には、該防水部材によりオーバーフロー管と上部鋼板との接合部の防水性能及び下部鋼板との間の防水性能を確保することが出来る。
【図面の簡単な説明】
【図１】本発明に係るベランダ腰壁下部の防水構造の第１実施形態の構成を示す断面説明図である。
【図２】本発明に係るベランダ腰壁下部の防水構造の第１実施形態の構成を示す正面説明図である。
【図３】第１実施形態の防水構造の要部を示す分解斜視図である。
【図４】第１実施形態において一体化されるオーバーフロー管と上部鋼板と防水部材の分解斜視図である。
【図５】本発明に係るベランダ腰壁下部の防水構造の第２実施形態の構成を示す断面説明図である。
【図６】第２実施形態の防水構造の要部を示す分解斜視図である。
【図７】本発明に係るベランダ腰壁下部の防水構造の第３実施形態の要部を示す分解斜視図である。
【符号の説明】
１…ベランダ床
２…ベランダ腰壁
２ａ…溝部
２ｂ…貫通孔
３…上部鋼板
３ａ…上片
３ｂ…防水立ち上がり片
３ｃ…貫通孔
４…下部鋼板
４ａ…防水立ち上がり片
６…防水シート
７…ビス
８…コーキング材
９…オーバーフロー管
10…防水部材
10ａ…円筒部
10ｂ…防水シート
11…バックアップ材
12…防水シート
13…シーリング材
【図１】
2004190378.tif 000003
【図２】
2004190378.tif 000004
【図３】
2004190378.tif 000005
【図４】
2004190378.tif 000006
【図５】
2004190378.tif 000007
【図６】
2004190378.tif 000008
【図７】
2004190378.tif 000009